(57)【要約】  本発明は、自動洗濯機又は食器洗い機で使用する洗浄組成物に関し、本洗浄組成物は、少なくとも２つの機能部分と、選択されたアセチル化度を有するアミノ−アセチル化多糖類を含む少なくとも１つの放出制御手段とを含む。本発明の洗浄組成物は、その異なる構成要素の優れた逐次放出を可能にするだけでなく、ヘルスケア効果及び布地ケア効果などの様々な有益な特性も提供する。【特許請求の範囲】
【請求項１】
自動洗濯機又は食器洗い機で使用する洗浄組成物であって、前記組成物は、一次機能部分及び二次機能部分を含む少なくとも２つの機能部分を含み、本洗いサイクル及びすすぎサイクルを有する自動洗濯機又は食器洗い機中で使用する際、該一次機能部分は本洗いサイクルに一次組成物を放出し、該二次機能部分はすすぎに二次組成物を放出し、前記洗浄組成物は、前記二次組成物が本洗い液中に放出されるのを防止することができる少なくとも１つの放出制御手段を更に含み、前記手段が、３０％〜８０％、好ましくは４５％〜７５％の範囲に含まれるアセチル化度を有するアミノ−アセチル化多糖類を含むことを特徴とする、洗浄組成物。
【請求項２】
前記アミノ−アセチル化多糖類の平均重量分子量（Ｍｗ）が、１０，０００Ｄａ〜５００，０００Ｄａ、好ましくは５０，０００Ｄａ〜３００，０００Ｄａ、より好ましくは１００，０００Ｄａ〜２００，０００Ｄａに含まれる、請求項１に記載の洗浄組成物。
【請求項３】
前記アミノ−アセチル化多糖類が、そのポリマー鎖に沿ってアセチル基がランダムに分布していることを特徴とする、請求項１又は２に記載の洗浄組成物。
【請求項４】
前記アミノ−アセチル化多糖類がキトサンである、請求項１〜３のいずれか一項に記載の洗浄組成物。
【請求項５】
前記放出制御手段がｐＨ制御され、前記手段が、１１〜７、好ましくは１０〜８の範囲の洗い液のｐＨ変化に応答する、請求項１〜４のいずれか一項に記載の組成物。
【請求項６】
前記一次組成物が、洗剤、漂白剤、水軟化剤及びこれらの混合物からなる群から選択される、請求項１〜５のいずれか一項に記載の洗浄組成物。
【請求項７】
前記二次組成物が、すすぎ補助剤、仕上げ剤、柔軟剤、消毒剤、芳香剤、移染防止剤、蛍光増白剤、再付着防止剤、腐食防止剤、銀保護剤、汚れ付着防止剤、静電気防止剤、抗微生物物質、アイロン掛け補助剤及びこれらの混合物からなる群から選択される、請求項１〜６のいずれか一項に記載の洗浄組成物。
【請求項８】
前記すすぎ補助剤がシロキサン界面活性剤などの湿潤剤類を含む、食器洗い機で使用するための、請求項７に記載の洗浄組成物。
【請求項９】
前記放出制御手段が、ポリビニルアルコール類、アクリル酸、ポリ酢酸ビニル類、ポリビニルアルコールコポリマー類、ヒドロキシプロピルメチルセルロース（ＨＰＭＣ）及びこれらの組み合わせからなる群から選択される追加のポリマー材料類を更に含む、請求項１〜８のいずれか一項に記載の洗浄組成物。
【請求項１０】
前記追加のポリマー材料類がポリビニルアルコール類である、請求項９に記載の洗浄組成物。
【請求項１１】
前記二次組成物が、有機アミノホスホン酸類及びアミノポリホスホン酸類、有機ホスホン酸類及びポリホスホン酸類、カルボン酸類、ポリカルボン酸類、ポリスルホン酸類並びにこれらの混合物からなる群から選択される、１種類以上のｐＨ変化増進剤を更に含む、請求項１〜１０のいずれか一項に記載の洗浄組成物。
【請求項１２】
前記二次組成物が、キトサナーゼ、キチナーゼ、パパイン、セルラーゼ、又は他の加水分解酵素類などの分解酵素類、及びこれらの混合物を更に含む、請求項１〜１１のいずれか一項に記載の洗浄組成物。
【請求項１３】
前記放出制御手段が、ｐＨ感受性フィルム、コーティング、凝塊形成材又はこれらの組み合わせの形態である、請求項１〜１２のいずれか一項に記載の組成物。
【請求項１４】
前記一次及び／又は二次機能部分が、パウチ、カプセル、錠剤又は顆粒の形態であり、前記放出制御手段がフィルム又はコーティングの形態であり、前記一次及び／又は二次組成物が、自由流動性粉末、圧縮粉末、液体、液体−固体懸濁液、ゲル又はペーストの形態である、請求項１〜１３のいずれか一項に記載の組成物。
【請求項１５】
前記二次機能部分が前記一次機能部分内に封入されている、請求項１〜１４のいずれか一項に記載の洗浄組成物。
【請求項１６】
前記洗浄組成物が、前記一次機能部分内に形成された少なくとも１つの空洞が設けられている錠剤の形態であり、前記空洞が少なくとも１つの粒子の形態の前記二次機能部分を収容し、前記二次機能部分の外面が前記アミノ−アセチル化多糖類を含むコーティングで完全に被覆されている、請求項１〜１５のいずれか一項に記載の洗浄組成物。
【請求項１７】
前記洗浄組成物が、前記一次機能部分内に形成された少なくとも１つの空洞が設けられている錠剤の形態であり、前記空洞が少なくとも１つの粒子の形態の前記二次機能部分を収容し、前記空洞の内面が前記アミノ−アセチル化多糖類を含むコーティングで完全に包囲されている、請求項１〜１５のいずれか一項に記載の洗浄組成物。
【請求項１８】
前記一次機能部分が、単一区画又は複数区画のパウチの形態であり、該二次機能部分が圧縮体又は圧密体の形態であり、放出制御手段が圧縮体又は圧密体の表面上のコーティングの形態である、請求項１〜１５のいずれか一項に記載の洗浄組成物。
【請求項１９】
前記二次機能部分を形成する前記粒子類が２０℃の脱イオン水中で浮遊する、請求項１〜１８のいずれか一項に記載の洗浄組成物。
【請求項２０】
前記一次機能部分が、少なくとも１つの顆粒の形態であり、前記二次機能部分が、前記アミノ−アセチル化多糖類を含むコーティングで被覆された少なくとも１つの顆粒の形態である、請求項１〜１４のいずれか一項に記載の洗浄組成物。
【請求項２１】
請求項１〜１９のいずれか一項に記載の組成物を製造する方法であって、
（ａ）該二次組成物を含む該二次機能部分を調製する工程、
（ｂ）工程（ａ）で形成された該二次機能部分を、３０％〜８０％の範囲に含まれるアセチル化度を有するアミノ−アセチル化多糖類を含むフィルム又はコーティングでコーティングする工程、及び
（ｃ）該一次組成物を含む該一次機能部分を調製し、工程（ｂ）で形成された該コーティング済み二次機能部分を封入する工程
を含む方法。
【請求項２２】
３０％〜８０％、好ましくは４５％〜７５％のアセチル化度を有するアミノ−アセチル化多糖類を含む、ｐＨ感受性フィルム又はコーティング組成物。
【請求項２３】
ポリビニルアルコール類、アクリル酸、ポリ酢酸ビニル類、ポリビニルアルコールコポリマー類、ヒドロキシプロピルメチルセルロース（ＨＰＭＣ）及びこれらの組み合わせからなる群から選択される追加のポリマー材料を更に含み、該多糖類の該追加のポリマー材料に対する重量比が０．１：１００〜５０：１００、好ましくは１：１００〜１０：１００である、請求項２２に記載のｐＨ感受性フィルム又はコーティング組成物。
【発明の詳細な説明】
【技術分野】
【０００１】
本発明は、自動洗い、特に、洗いプロセスの異なるサイクルに異なる組成物を放出するように構成された複数の機能部分を含む洗浄組成物に関する。
【背景技術】
【０００２】
現今、最新の洗濯機又は食器洗い機は、それらが運転する洗いプログラムに関して非常に様々であり得るが、後者は、実際に、温度及び個々の基本サイクルの持続時間が著しく異なる場合がある。しかし、自動洗い運転は、典型的には、４つの主要サイクル、即ち、予洗いサイクル、本洗いサイクル、１回又は数回のすすぎサイクル、及び脱水サイクルを含むことが認識されている。自動機械に使用するのに好適な組成物は、一般に、数種類の活性化合物を含み、それらは、全洗いサイクル中、特定の段階でしか、それらの機能を果たさない。
【０００３】
長い間、バルク包装された商品形態の洗濯洗剤又は食器洗い洗剤が消費者に提供され、用途の必要に応じて洗剤を計量分配することは、使用時に消費者に委ねられた。しかし、計量分配が更に容易で便利な洗濯洗剤又は食器洗い洗剤を有するという消費者の希望を考慮して、これらの洗剤は、ますます、計量分配の必要がない形態で提供され、１回の洗い運転に必要な構成成分全てを含む所定の部分に配合された。固体製品の場合、このような部分は、液中に全量として計量分配される、顆粒、ビーズ、錠剤、キューブ、ブリケットなどの形状に形成されることが多い。錠剤の形状の洗剤組成物には、取り扱い、輸送及び貯蔵の容易さなどの追加の利点がある。消費者は、分配トレー（dispensing drawer）を介して計量分配できる成形された洗剤組成物の便利さを特に好む。
【０００４】
これらの解決法の欠点は、洗い運転中に必要な成分全てが、同時に水溶液に運ばれ、洗い液中の特定の構成成分の化学的不適合が起こることである。例えば、酵素又は香料は、漂白剤系の酸化作用によって迅速に不活性化される場合があり、陽イオン性活性分子は陰イオン性界面活性剤によって沈殿する。したがって、幾つかの活性剤の送達を、洗いサイクル中の後の方か、又はすすぎサイクル中に遅延することが極めて望ましい。
【０００５】
ＥＰ−Ａ−４８１５４７は、報告によれば、食器洗い組成物及びすすぎ補助組成物の逐次的な放出を提供できる、食器洗い洗剤錠剤を開示している。ＥＰ−Ａ−４８１５４７の錠剤は、全面がバリア層で完全に包囲されている内層を有し、また、バリア層は外層で完全に包囲されている。ＰＣＴ国際公開特許ＷＯ−Ａ−００／０４１２９は、中に少なくとも１つの型を有する成形体の形態の第１の相と、前記型内で圧縮された微粒子の固体の形態の第２の相とを含む多相洗剤錠剤を記載している。ＰＣＴ国際公開特許ＷＯ−Ａ−００／０４１２９に開示されている錠剤の好ましい実施形態では、第２の相は第１の相の前に溶解する。米国特許出願２００１／００３１７１４は、温度制御を受けない、又は独占的に受けない、放出制御（物理）化学的スイッチを含む多層錠剤を記載している。
【０００６】
しかし、効果剤（類）と配合された従来技術の錠剤の多くに関連して、幾つかの問題がある。これらの錠剤は、活性物質類放出を効果的に制御しない場合が多い。効果剤の多くは、すすぎサイクルに放出されるとき、より効果的に作用する。しかし、活性物質を含有する粒子を含む錠剤の場合、前記粒子は、活性物質（類）を放出する機会を有する前に、すすぎサイクルの前に、本洗いからの洗い液と共に被洗物から排出されることが非常に多い。粒子がすすぎサイクルまで残ったときでも、それらは効果を被洗物じゅうに均一に送達しないことが多い。
【０００７】
本発明の目的は、洗濯機又は食器洗い機の全洗いサイクル中の適切な時機まで、活性物質の送達を効果的に遅延するように設計された洗浄組成物を提供することである。特に、本発明は、選択されたアセチル化度を有するアミノ−アセチル化多糖類を含む、ｐＨ感受性放出制御手段を含有する洗浄組成物に関する。
【０００８】
ｐＨ依存溶解度を示す構成成分は、当該技術分野で、特に薬学から周知である。好適な化合物は、好ましくは本質的に塩基性であり、特に、塩基性ポリマーである。高ｐＨ感受性可溶性塩基性ポリマーの使用は、洗濯用又は食器洗い用錠剤分野などの、他の状況でも考慮されてきた。また、米国特許出願２００１／００３１７１４は、ｐＨ依存可溶性ポリマーを含む放出制御（物理）化学的スイッチを含む多層錠剤を開示している。好適なポリマー材料は、８〜１０のｐＨ範囲で溶解度が変化し、好ましくはアミノアルキルメタクリレートコポリマーである。ＣＡ−Ａ−２３３８７１０及びＣＡ−Ａ−２３０４５２６は、空洞内に配置されたコーティング済み粒子を含む複合錠剤を記載している。前記コーティングは、ｐＨ感受性であると記載され、保留の塩基性官能基（pending basic function）を含む高分子炭水化物から製造される。
【０００９】
本発明の洗浄組成物は、例えば、貯蔵時又は洗い液中における相互に不適合な成分の分離、及び異なる物理的形態で提供される成分の分離などができる融通性のある配合が可能である。本発明による組成物は、異なる製品を異なるサイクルに逐次的に制御放出することが可能であり、このようにして、最適化された洗いプロセスが提供される。
【００１０】
更に、選択されたアセチル化度を有するアミノ−アセチル化多糖類を含む少なくとも１種類の放出制御手段を含有する洗浄組成物を設計することによって、その異なる構成要素の優れた逐次放出が可能になるだけでなく、様々な有益なケア特性も提供される。
【００１１】
本発明によれば、特に好ましいアミノ−アセチル化多糖類はキトサンである。キトサンは、甲殻類の殻、昆虫の外皮、きのこ類に広く分布する多糖類キチンから製造される天然高分子材料である。具体的には、キトサンは、キチン又はポリ−Ｎ−アセチル−Ｄ−グルコサミンから商業的に製造されるが、これは、脱アセチル化され、ポリマーを希釈した有機酸に容易に溶解できるようにするのに十分な遊離アミノ基を提供する。
【００１２】
キトサン及びその誘導体は、抗微生物特性を有し、多数の病原性真菌を抑制することが知られている。これらの理由から、高品質のキトサンが開発され、食品、化粧品、製薬、及び吸収剤、植物細胞用の活性化剤、廃水処理用の凝集剤などの様々な産業分野で広く使用されてきた。
【００１３】
英国特許ＧＢ−Ａ−２３６３６１４には、キトサンベースのポリマー材料を布地処理剤として利用する洗濯及び／又は布地ケア組成物が記載されており、このような材料を含有する洗い溶液中で洗濯される布地又は織物に布地外観及び一体性の利益を付与することができる。
【００１４】
特に、最近、改善された布地柔軟性効果、布地手触り効果、衣類形状保持効果、弾性効果、アイロン掛けが容易である効果、香料効果、皺防止効果、カラーケア効果（染料固定又は移染防止など）、又はこれらの任意の組み合わせなどの効果をもたらすためのキトサンの使用が記載された。
【００１５】
本発明は、自動洗濯機又は食器洗い機で使用する洗浄組成物の状況で、選択されたアセチル化度を有するアミノ−アセチル化多糖類のｐＨ感受性材料としての最初の使用を記載している。
【発明の開示】
【発明が解決しようとする課題】
【００１６】
本発明による洗浄組成物のその他の目的及びより具体的な特性は、本発明の以下の説明を読めば明らかになるであろう。
【課題を解決するための手段】
【００１７】
本発明の第１の実施形態によれば、自動洗濯機又は食器洗い機で使用する洗浄組成物が提供され、本組成物は、一次機能部分及び二次機能部分を含む少なくとも２つの機能部分を含み、本洗いサイクル及びすすぎサイクルを有する自動洗濯機又は食器洗い機中で使用する際、一次機能部分は本洗いサイクルに一次組成物を放出し、二次機能部分はすすぎに二次組成物を放出し、本洗浄組成物は、前記二次組成物が本洗い液中に放出されるのを防止することができる少なくとも１つの放出制御手段を更に含み、前記手段は、選択されたアセチル化度を有するアミノ−アセチル化多糖類を含む。
【００１８】
好ましい実施形態では、本発明は、該一次機能部分内に形成された少なくとも１つの空洞が設けられている錠剤の形態の洗浄組成物に関し、該空洞は少なくとも１つの粒子の形態の二次機能部分を収容し、前記二次機能部分の外面は選択されたアセチル化度を有するアミノ−アセチル化多糖類を含むコーティングで完全に被覆されている。
【００１９】
本発明の別の実施形態は、本発明の洗浄組成物を製造する方法に関し、本方法は、ａ）二次組成物を含む二次機能部分を調製する工程、その後、ｂ）工程（ａ）で形成された二次機能部分を、３０％〜８０％の範囲に含まれるアセチル化度を有するアミノ−アセチル化多糖類誘導体を含むフィルム又はコーティングでコーティングする工程、及びｃ）一次組成物を含む一次機能部分を調製し、工程（ｂ）で形成された該コーティング済み二次機能部分を封入する工程を含む。
【００２０】
更に別の実施形態によれば、本発明は、３０％〜８０％、好ましくは４５％〜７５％の範囲に含まれるアセチル化度を有するアミノ−アセチル化多糖類を含む、ｐＨ感受性フィルム又はコーティング組成物を対象とする。
【発明を実施するための最良の形態】
【００２１】
（機能部分）
第１の実施形態では、本発明は、少なくとも２つの機能部分と少なくとも１つの放出制御手段とを含む洗浄組成物に関し、後者は、選択されたアセチル化度を有するアミノ−アセチル化多糖類を含む。
【００２２】
本発明の文脈では、「機能部分」という表現は、全洗いプロセスの特定の段階で、特定の機能を果たすことが意図された洗浄組成物の一部のことをいう。一次及び二次機能部分は、パウチ、カプセル、錠剤、又は顆粒の形態とすることができる。したがって、それらは、六角形、正方形、長方形、円筒状、球状などのいかなる好適な形状を採用してもよい。更に、各機能部分は、一体であっても、又は層などの別個の部分からなってもよい。
好ましくは、一次機能部分は錠剤の形態であり、二次機能部分は少なくとも１つの粒子の形態である。
【００２３】
自動洗濯機又は食器洗い機で使用されるとき、一次機能部分は、本洗いに一次組成物を放出し、二次機能部分は二次組成物をすすぎに放出するように意図されている。一次組成物及び二次組成物は、自由流動性粉末、圧縮粉末、液体、液体−固体懸濁液、ゲル又はペーストの形態で提供されてもよい。
【００２４】
（一次組成物）
本発明によれば、一次組成物は、好ましくは、以下の非限定的な成分の列記から選択される化合物及びこれらの混合物を含む。
【００２５】
（界面活性剤）
好ましくは、本発明の製品に使用する界面活性剤は、低起泡性界面活性剤単独か、又は他の構成成分（即ち、泡抑制剤）と組み合わせた低起泡性界面活性剤である。本明細書で好適な界面活性剤には、アルキル、アルケニル、又はアシル部分がＣ5〜Ｃ20、好ましくはＣ10〜Ｃ18の直鎖又は分枝鎖である、アルキルサルフェート類、アルキルエーテルサルフェート類、アルキルベンゼンスルホネート類、アルキルグリセリルスルホネート類、アルキル及びアルケニルスルホネート類、アルキルエトキシカルボキシレート類、Ｎ−アシルサルコシネート類、Ｎ−アシルタウレート類、並びにアルキルサクシネート類及びスルホサクシネート類などの陰イオン性界面活性剤；残りのＮ位がメチル基、ヒドロキシエチル基、又はヒドロキシプロピル基で置換されている、クロリンエステル類（米国特許出願第４２２８０４２号、米国特許出願第４２３９６６０号、及び米国特許出願第４２６０５２９号）及びモノＣ6〜Ｃ16Ｎ−アルキル又はアルケニルアンモニウム界面活性剤などの陽イオン性界面活性剤；非イオン性アルコキシル化界面活性剤類（とりわけ、Ｃ6〜Ｃ18の第一級アルコール類から誘導されるエトキシレート類）、エトキシル化−プロポキシル化アルコール類（例えば、ＢＡＳＦポリ−タージェント（Poly-Tergent）（登録商標）ＳＬＦ１８）、エポキシ末端処理されたポリ（オキシアルキル化）アルコール類（例えば、ＢＡＳＦポリ−タージェント（登録商標）ＳＬＦ１８Ｂ、ＰＣＴ国際公開特許ＷＯ−Ａ−９４／２２８００参照）、エーテル末端処理されたポリ（オキシアルキル化）アルコール界面活性剤、並びにミシガン州ワイアンドットのＢＡＳＦ−ワイアンドット社（BASF-Wyandotte Corp.,Wyandotte,Michigan）によるプルロニック（Pluronic）（登録商標）、リバースト・プルロニック（Reversed Pluronic）（登録商標）及びテトロニック（Tetronic）（登録商標）などのブロックポリオキシエチレン−ポリオキシプロピレンポリマー化合物を含む、低曇点及び高曇点の非イオン性界面活性剤及びこれらの混合物；Ｃ12〜Ｃ20アルキルアミンオキシド類（本明細書で使用するのに好ましいアミンオキシド類には、Ｃ12ラウリルジメチルアミンオキシド、Ｃ14及びＣ16ヘキサデシルジメチルアミンオキシドが挙げられる）、及びミラノール（Miranol）（商標）Ｃ２Ｍなどのアルキル両性カルボン酸界面活性剤などの両性界面活性剤；並びにベタイン類及びスルタイン類などの双極性界面活性剤；並びにこれらの混合物が挙げられる。本明細書で好適な界面活性剤類は、例えば、米国特許出願第３，９２９，６７８号、米国特許出願第４，２５９，２１７号、ＥＰ−Ａ−０４１４５４９、ＰＣＴ国際公開特許ＷＯ−Ａ−９３／０８８７６、及びＰＣＴ国際公開特許ＷＯ−Ａ−９３／０８８７４に開示されている。
【００２６】
（ビルダー）
本明細書で使用するのに好適なビルダーには、水溶性ビルダー（クエン酸塩類、炭酸塩類、及び、例えば、トリポリリン酸ナトリウム及びトリポリリン酸ナトリウム六水和物、トリポリリン酸カリウム、並びにトリポリリン酸ナトリウム及びカリウムの混合塩類などのポリリン酸塩類など）、及び部分水溶性又は水不溶性のビルダー（結晶性層状ケイ酸塩類（ＥＰ−Ａ−０１６４５１４及びＥＰ−Ａ−０２９３６４０）並びにゼオライト類Ａ、Ｂ、Ｐ、Ｘ、ＨＳ及びＭＡＰを含むアルミノケイ酸塩類など）が挙げられる。ビルダーは、典型的には、組成物の約１重量％〜約８０重量％、好ましくは約１０重量％〜約７０重量％、最も好ましくは約２０重量％〜約６０重量％の濃度で存在する。また、ビルダーとして好適なものには、コポリマーポリカルボキシレート、とりわけ、アクリル酸のメタクリル酸とのコポリマーポリカルボキシレート、及びアクリル酸又はメタクリル酸のマレイン酸とのコポリマーポリカルボキシレートがある。特に好適であると考えられるコポリマーには、アクリル酸を５０重量％〜９０重量％及びマレイン酸を５０重量％〜１０重量％含有する、アクリル酸とマレイン酸とのコポリマーである。
【００２７】
（酵素）
本明細書で好適な酵素には、ケアザイム（Carezyme）及びセルザイム（Celluzyme）（ノボ・ノルディスクＡ／Ｓ（Novo Nordisk A/S））などの細菌及び真菌セルラーゼ類；ペルオキシダーゼ類；アマノ−Ｐ（Amano-P）（天野製薬株式会社（Amano Pharmaceutical Co.））、Ｍ１リパーゼ（M1 Lipase）（登録商標）及びリポマックス（Lipomax）（登録商標）（ヒスト・ブロカデス（Gist-brocades））、並びにリポラーゼ（Lipolase）（登録商標）及びリポラーゼ・ウルトラ（Lipolase Ultra）（登録商標）（ノボ（Novo））などのリパーゼ類；クチナーゼ類；エスペラーゼ（Esperase）（登録商標）、アルカラーゼ（Alcalase）（登録商標）、デュラザイム（Durazym）（登録商標）及びサビナーゼ（Savinase）（登録商標）（ノボ（Novo））、並びにマキサターゼ（Maxatase）（登録商標）、マキサカール（Maxacal）（登録商標）、プロペラーゼ（Properase）（登録商標）、マキサペム（Maxapem）（登録商標）（ヒスト・ブロカデス（Gist-brocades））、並びにプロテアーゼＡ（Protease A）（登録商標）、プロテアーゼＢ（Protease B）（登録商標）、プロテアーゼＣ（Protease C）（登録商標）、プロテアーゼＤ（Protease D）（登録商標）（ＥＰ−Ａ−１２０１７４３）などのプロテアーゼ類；ピュラフェクトＯｘ  Ａｍ（Purafect Ox Am）（登録商標）（ジェネンコア（Genencor））並びにターマミル（Termamyl）（登録商標）、バン（Ban）（登録商標）、フンガミル（Fungamyl）（登録商標）、デュラミル（Duramyl）（登録商標）及びナタラーゼ（Natalase）（登録商標）（ノボ（Novo））などのα及びβアミラーゼ類；ペクチナーゼ類；並びにそれらの混合物が挙げられる。酵素は、本明細書では、好ましくは、プリル、顆粒、又は共顆粒として、通常は組成物の約０．０００１重量％〜約２重量％の範囲の純酵素濃度で加えられる。
【００２８】
（漂白剤）
本明細書で好適な漂白剤には、酸素系漂白剤（とりわけ、一次組成物中）及び塩素系漂白剤（とりわけ、二次組成物中）が挙げられる。好ましい酸素系漂白剤は、無機過水和物塩（過ホウ酸ナトリウム一水和物及び四水和物など）、及び放出速度を制御するために任意にコーティングされる過炭酸ナトリウム（例えば、硫酸塩／炭酸塩コーティングに関してはＧＢ−Ａ−１４６６７９９参照）、予備形成された有機ペルオキシ酸類、並びにこれらと有機ペルオキシ酸漂白剤前駆体及び／又は遷移金属含有漂白剤触媒（とりわけ、鉄、マンガン又はコバルト）との混合物である。他の好適な漂白剤には、いわゆる、光漂白剤がある。本明細書で使用するのに好ましい塩素系漂白剤は、アルカリ金属及びアルカリ土類金属次亜塩素酸塩、次亜塩素酸塩付加生成物、クロラミン類、クロリミン類、クロラミド類、及びクロリミド類を含む、水溶液中で次亜塩素酸塩種を生成するものである。このタイプの化合物の具体例には、次亜塩素酸ナトリウム、次亜塩素酸カリウム、一塩基性次亜塩素酸カルシウム、Ｎ−クロロスルファミド、クロラミンＴ、ジクロラミンＴ、クロラミンＢ、及びジクロラミンＢが挙げられる。
一次組成物は、二次組成物に関して以下に記載される幾つかの効果剤も含むことができる。
【００２９】
（二次組成物）
本発明によれば、二次組成物は、活性物質及び効果剤を含み、これらは、好ましくは、以下の非限定的な成分のリスト、及びこれらの混合物から選択される。
【００３０】
（柔軟化剤）
本発明による洗浄組成物は、柔軟化剤を含んでもよい。好ましくは、本明細書で使用する柔軟化剤は、陽イオン性柔軟化剤の群から選択される。いかなる好適な陽イオン性柔軟化剤を本明細書で使用してもよいが、四級アンモニウム剤が好ましい。本明細書で使用するとき、「四級アンモニウム剤」という用語は、四級窒素原子を有し、且つ６個以上の炭素原子を含有する部分を１つ以上、好ましくは２つ有する化合物又は化合物の混合物を意味する。本明細書で使用するのに好適な陽イオン性柔軟化剤は、例えば、ＥＰ−Ａ−１２０１７４１に開示されている。他の好適な柔軟化剤は、粘土柔軟化剤である。いかなる好適な粘土柔軟化剤を使用してもよいが、粘土鉱物化合物及び任意に粘土凝集剤を含むものが好ましい。粘土鉱物化合物は、好ましくは、米国特許出願第３，８６２，０５８号、米国特許出願第３，９４８，７９０号、米国特許出願第３，９５４，６３２号、及び米国特許出願第４，０６２，６４７号に開示されているもののような、スメクタイト粘土化合物である。
【００３１】
本発明の組成物に含まれてもよい別の種類の柔軟化剤には、シリコーンベースの柔軟化剤が挙げられる。好適なシリコーン柔軟化剤は、好ましくは、ＰＣＴ国際公開特許ＷＯ０２０９２６６６、ＥＰ−Ｂ−０４２２７８７、及び米国特許出願第４，７５７，１２１号に記載されているような、アミノ置換オルガノポリシロキサン、エポキシ変性オルガノポリシロキサン及びポリジオルガノシロキサンなどのポリオルガノシロキサン類をベースにするものである。
【００３２】
好ましくは、本洗浄組成物は、柔軟化剤を全組成物の０．１重量％〜４０重量％、より好ましくは０．５重量％〜１５重量％含む。
【００３３】
（有機ポリマー化合物）
本発明の洗浄組成物は、有機ポリマー化合物を含むことができる。有機ポリマー化合物は、基本的に、分散剤、再付着防止、汚れ放出又は他の洗剤特性を有する洗剤組成物中に通常見出される有機化合物を意味する。有機ポリマー化合物は、典型的には、本発明の組成物に、組成物の０．０１重量％〜３０重量％、好ましくは０．０５重量％〜１５重量％、最も好ましくは０．０１重量％〜１０重量％の濃度で組み込まれる。
【００３４】
有機ポリマー化合物の例には、水溶性有機ホモポリマー若しくはコポリマーポリカルボン酸類、変性されたポリカルボキシレート類、又はそれらの塩が挙げられる。分子量５０００〜１００００、より好ましくは２００００〜１０００００の、アクリル酸と無水マレイン酸とのコポリマーが好ましい。分子量１５０００未満の市販されている好ましいアクリル酸含有コポリマーには、ＢＡＳＦ社（BASF Gmbh）によりソカラン（Sokalan）ＰＡ３０、ＰＡ２０、ＰＡ１５、ＰＡ１０、及びソカランＣＰ１０、ＣＰ５の商品名で販売されているもの、並びにローム・アンド・ハース（Rohm and Haas）によりアクゾル（Acusol）４５Ｎ、４８０Ｎ、４６０Ｎの商品名で販売されているものが挙げられる。
【００３５】
他の任意のポリマーは、ポリビニルアルコール類及びポリ酢酸ビニル類（変性されたものと変性されていないものの両方）、セルロース系及び変性されたセルロース系、ポリオキシエチレン類、ポリオキシプロピレン類、並びにこれらのコポリマー（変性されたものと変性されていないものの両方）、エチレン若しくはプロピレングリコールのテレフタレートエステル類又はこれらとポリオキシアルキレン単位との混合物であってよい。好適な例は、例えば、米国特許出願第５，５９１，７０３号、米国特許出願第５，５９７，７８９号、及び米国特許出願第４，４９０，２７１号に開示されている。
【００３６】
（湿潤剤）
本明細書で使用するのに好適な湿潤剤は界面活性剤であり、陰イオン性、両性、双極性、非イオン性及び半極性界面活性剤が挙げられる。好ましい非イオン性界面活性剤には、シルウェット（Silwet）コポリマーなどのシリコーン界面活性剤が挙げられ、好ましいシルウェットコポリマーには、シルウェット（Silwet）Ｌ−８６１０、シルウェットＬ−８６００、シルウェットＬ−７７、シルウェットＬ−７６５７、シルウェットＬ−７６５０、シルウェットＬ−７６０７、シルウェットＬ−７６０４、シルウェットＬ−７６００、シルウェットＬ−７２８０及びこれらの混合物が挙げられる。本明細書に用いるのに好ましいのは、シルウェット（Silwet）Ｌ−７７である。
【００３７】
（香料）
本発明の香料構成成分は、カプセル化香料、香料前駆体（properfume）、純粋な香料材料、及びこれらの混合物を含んでもよい。
【００３８】
本明細書の状況において、「香料」という用語は、悪臭中和剤として作用するいかなる芳香材料をも意味する。本発明で使用する香料又は防臭材料は、ほとんどの場合、室温で液体であるが、当技術分野で既知の様々な樟脳系（tamphoraceous）香料のように固体であり得る。アルデヒド類、ケトン類、エステル類などの材料を含む多種多様な化学物質が、香料製造業での使用で知られている。更に一般的には、天然の植物油及び動物油、並びに様々な化学構成成分の複雑な混合物を含む滲出物が香料として使用されることが知られており、このような材料を本明細書で使用することができる。本明細書の香料は、組成が比較的単純なものであっても、又は、天然及び合成の化学構成成分からなる極めて高度で複雑な混合物を含んでもよく、全て、任意の所望の臭気をもたらすように選択される。
【００３９】
（錠剤コーティング）
好ましくは、本発明の洗浄組成物はコーティングされている。コーティングは、組成物の機械的特性を改善すると同時に、溶解を維持又は改善できる。コーティングは、また、組成物類の水分吸収を緩速にするか、又は阻止することができる。本明細書で使用するのに好ましいコーティング又は方法は、ＥＰ−Ａ−８４６７５４に記載されている。特に好適なコーティング成分は、例えば、シュウ酸、マロン酸（malonic acdi）、コハク酸、グルタル酸、アジピン酸、ピメリン酸、スベリン酸、アゼライン酸、セバシン酸、ウンデカン二酸及びこれらの混合物から選択されるものなどのジカルボン酸類（dicarbolylic acids）である。アジピン酸が最も好ましい。
【００４０】
好ましくは前記二次組成物中に含まれる他の好適な効果剤の群は、蛍光増白剤、紫外線保護物質、染料、銀保護剤、香料及び芳香剤、蛍光剤、活性抗微生物物質、皺低減剤、キレート化剤、塩化物捕捉剤、染料、泡抑制剤、再付着防止剤、灰色化防止剤、移染防止剤、布地磨耗低減ポリマー、腐食防止剤、キレート剤／重金属イオン封鎖剤、結晶成長防止剤、結合剤、崩壊助剤、アイロン掛け補助剤、表面染色性改質ポリマー（surface substantive modifying polymer）、並びにこれらの混合物である。
二次組成物は、また、一次組成物に関して前述される成分の幾つかも含むことができる。
【００４１】
（放出制御手段）
本発明の洗浄組成物は、前記二次組成物が本洗い液中に放出されるのを防止できる、少なくとも１つの放出制御手段を更に含む。
【００４２】
「放出制御手段」という表現は、所望の時点より前に組成物が溶解しないように保護し、前記組成物を洗浄運転中の所望の時機に送達することを可能にする手段を表すことを意図している。特に、本発明で使用するとき、「放出制御手段」は、本洗浄組成物の二次組成物が本洗いサイクルに溶解することを防止し、前記二次組成物をすすぎ液に送達できる手段を表す。
【００４３】
放出制御手段は、典型的には、その直面する環境の変化、例えば、洗い液の特定の特性の変化に反応して、その化学的又は物理的特性が変化し、それにより、二次組成物の洗い液中への放出を防止するか又は可能にする少なくとも１つの構成成分を含む。
【００４４】
その結果、異なる組成物の異なるサイクルへの逐次送達は、制御手段として作用するように選択される特定の構成成分に応じて、物理的、化学的又は機械的に制御される放出制御手段を含むことによって達成されることができる。ひいては、これらの後者は、ｐＨ、温度、伝導度、ｐＣａ、ｐＫａ、酸化還元電位、イオン濃度、酵素反応又は時間の１つ以上の変化に応答することができる。
本発明の状況では、洗浄組成物は、選択されたアセチル化度を有するアミノ−アセチル化多糖類を含む、少なくとも１つの放出制御手段を含む。
【００４５】
本発明の好ましい実施形態によれば、前記放出制御手段はｐＨ制御され、そのため、洗い液のｐＨ変化に応答する。現在市販されている洗濯機及び食器洗い機の大部分では、洗い液のｐＨ変化は、アルカリ性洗剤処方で単なる希釈により、典型的には本洗いサイクルとすすぎサイクルとの間で観察されることが当該技術分野で周知である。このｐＨ変化は、水の温度とは無関係に起こり、ｐＨ単位約１〜２の範囲である。
【００４６】
ｐＨ変化の具体的な値は機械中に残存する残留液の量に依存するが、典型的な洗濯機では、本洗い液のｐＨは約１０〜９、すすぎ液中では９〜８の範囲であることが考えられる。食器洗い機の場合、本洗い液のｐＨは約１１〜１０、すすぎ液中では１０〜９の範囲である。
【００４７】
本発明によれば、効果剤のすすぎ液への制御放出を実施するため、ｐＨのこのような１単位の変化を利用する。本発明の好ましい実施では、ｐＨ制御される放出手段は、１１〜７、好ましくは１０〜８の範囲の洗い液のｐＨ変化に応答する。
【００４８】
特に好ましい実施形態では、本発明の洗浄組成物には、アミノ−アセチル化多糖類を含むｐＨ制御される放出手段が設けられており、これは、１１〜７、好ましくは１０〜８の範囲の洗い液のｐＨ変化の結果として、その溶解度が変化し、好ましくは水中における溶解度が増大する。
【００４９】
洗濯物用の洗濯機で使用されることを意図されているとき、洗浄組成物に、洗い液のｐＨ範囲９〜８で増大した溶解度を示すｐＨ制御される放出手段が設けられていることが特に好ましい。前記ｐＨ制御される放出手段に含まれる前記アミノ−アセチル化多糖類は、ｐＨ１０〜９（洗い条件）では全く溶解しないか又は溶解度が低く、ｐＨ９〜８（すすぎ条件）では完全に溶解するか又はほぼ完全に溶解することが、特に好ましい。
【００５０】
食器洗い機での使用を想定すると、前記ｐＨ制御される放出手段に含まれる前記アミノ−アセチル化多糖類は、ｐＨ１１〜１０（洗い条件）では全く溶解しないか又は溶解度が低く、ｐＨ１０〜９（すすぎ条件）では完全に溶解するか又はほぼ完全に溶解することが、特に好ましい。
【００５１】
本発明の洗浄組成物で使用するのに好適な溶解度特性を示すようにするため、前記アミノ−アセチル化多糖類のアセチル化度を慎重に選択しなければならないことが驚くべきことに分かった。
【００５２】
アセチル化度が３０％〜８０％、好ましくは４５％〜７５％の範囲に含まれるとき、前記アミノ−アセチル化多糖類は、アセチル化度が典型的には２５％未満の市販の化合物と比較して、広い溶解度範囲対ｐＨを示すことが、意外にも分かった。特に、１５％のアセチル化度を有する市販のアミノ−アセチル化多糖類は、ｐＨ６．５未満でしか溶解できないが、４５％〜５５％に含まれるアセチル化度を有する合成アミノ−アセチル化多糖類は、８．５までのｐＨ値で水性媒体中に溶解できる場合がある。
【００５３】
洗濯物用の洗濯機で使用するため、前記ｐＨ制御される放出手段に含まれる前記アミノ−アセチル化多糖類は、３０％〜８０％、好ましくは４０％〜６０％、より好ましくは４５％〜５５％、最も好ましくは４５％〜５０％に含まれるアセチル化度を有することが特に好ましい。
【００５４】
本発明の洗浄組成物を食器洗い機で使用するとき、前記ｐＨ制御される放出手段に含まれる前記アミノ−アセチル化多糖類は、３０％〜８０％、好ましくは４５％〜７５％、より好ましくは５５％〜７５％、最も好ましくは７０％〜７５％に含まれるアセチル化度を示すことが好ましい。
【００５５】
更に、アミノ−アセチル化多糖類サンプルの平均重量分子量と、それらから製造されるフィルムのｐＨ感受性との間に強い依存性が存在することが、やはり驚くべきことに分かった。具体的には、平均重量分子量が低いほど、水溶性が高い。
【００５６】
本発明の好ましい実施形態では、好適な溶解度特性対ｐＨを達成するため、前記アミノ−アセチル化多糖類の平均重量分子量（Ｍw）は、１０，０００Ｄａ〜５００，０００Ｄａ、好ましくは５０，０００Ｄａ〜３００，０００Ｄａ、より好ましくは１００，０００Ｄａ〜２００，０００Ｄａから有利に選択されてもよい。
【００５７】
理論に束縛されることを所望しないが、３０％〜８０％に含まれるアセチル化度及び低分子量を有するキトサン誘導体の高い水溶性が、ファンデルワールス力などの分子間相互作用の低減に寄与し、分子量が低いほど、分子間引力が小さくなることが考えられる。
【００５８】
本発明の状況では、極めて好ましいアミノ−アセチル化多糖類はキトサンであると選択される。３０％〜８０％に含まれるアセチル化度及び低分子量のキトサンの製造は、２つの異なる合成方法を使用して、即ち、「完全に」脱アセチル化されたキトサンの均質なアセチル化、又はキチンの均質な脱アセチル化のいずれかによって実施されてもよい。
【００５９】
本発明の好ましい実施形態では、必要なアセチル化キトサンは、脱アセチル化されたキトサンの制御された均質な再アセチル化によって製造される。
【００６０】
理論に束縛されるものではないが、均質条件では、好ましくは、アミノ−アセチル化多糖類ポリマー鎖に沿ったアセトアミド基のランダム分布が得られ、異質条件では、主としてブロックごとの分布が提供されることが考えられる。更に、前記ランダム分布は、好適な溶解度特性を有する化合物を得るのに好都合な影響を与えることが考えられる。
【００６１】
本発明の極めて好ましい実施形態において、また洗濯物用の洗濯機での使用には、前記アミノ−アセチル化多糖類は、４５％〜５５％に含まれるアセチル化度、１００，０００Ｄａ〜２００，０００Ｄａに含まれる平均重量分子量、及びポリマー鎖に沿ったアセトアミド基のランダムな分布を有することが好ましい。
【００６２】
食器洗い機で使用するのに非常に好ましい本発明の実施形態では、前記アミノ−アセチル化多糖類は、５５％〜７５％に含まれるアセチル化度、１００，０００Ｄａ〜２００，０００Ｄａに含まれる平均重量分子量、及びポリマー鎖に沿ったアセトアミド基のランダムな分布を有することが好ましい。
【００６３】
本発明の放出制御手段は、すすぎサイクルの極初期段階で二次組成物を放出することを可能にし、後者の組成物が本洗いサイクルに放出されることを効果的に防止する。
【００６４】
本発明の別の実施形態では、放出制御手段は、追加のポリマー材料を更に含んでもよい。ポリマー材料として使用するのに好適な、好ましいポリマー、コポリマー又はこれらの誘導体は、ポリビニルアルコール類（ＰＶＡ）、ポリビニルピロリドン、ポリアルキレンオキシド類、アクリルアミド、アクリル酸、セルロース、セルロースエーテル類、セルロースエステル類、セルロースアミド類、ポリ酢酸ビニル類、ポリカルボン酸類及びその塩類、ポリアミノ酸類又はペプチド類、ポリアミド類、ポリアクリルアミド、マレイン酸／アクリル酸のコポリマー、澱粉及びゼラチンを含む多糖類、キサンタム（xanthum）及びカラガム（carragum）などの天然ガムから選択される。より好ましいポリマー類は、ポリアクリレート類及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレート類から選択され、最も好ましくは、ポリビニルアルコール類、ポリビニルアルコールコポリマー及びヒドロキシプロピルメチルセルロース（ＨＰＭＣ）、並びにこれらの組み合わせから選択される。
【００６５】
ポリマーの混合物は、これらの用途及び必要な要件に応じて、放出制御手段の機械的特性及び／又は溶解特性を更に制御するのに有益であることができる。好適な混合物には、例えば、あるポリマーが別のポリマーよりも高い水溶性を有し、及び／又はあるポリマーが別のポリマーよりも高い機械強度を有する混合物が挙げられる。また、異なる平均重量分子量を有するポリマーの混合物も好適である。
【００６６】
最も好ましいポリマー材料は、米国インディアナ州ゲーリーのクリス−クラフト・インダストリアル・プロダクツ（Chris-Craft Industrial Products of Gary, Indiana,US）により販売されている商品名モノソル（Monosol）Ｍ８６３０で既知のものなどの、好ましくは１，０００Ｄａ〜１，０００，０００Ｄａ、より好ましくは１０，０００Ｄａ〜３００，０００Ｄａ、最も好ましくは２０，０００Ｄａ〜１５０，０００Ｄａの平均重量分子量を有するＰＶＡである。
【００６７】
このようなポリマー材料が、アミノ−アセチル化多糖類と一緒に前記放出制御手段に更に含まれる場合、多糖類と追加のポリマー材料との重量比は０．１：１００〜５０：１００、好ましくは１：１００〜１０：１００であることが好ましい。
【００６８】
本発明によれば、放出制御手段は、フィルム、コーティング、凝塊形成材、崩壊剤又はこれらの組み合わせの形態で提供されてもよい。本発明の好ましい実施では、放出制御手段はコーティングの形態で使用される。従来のいかなるコーティング方法も本発明の状況で使用してよい。
【００６９】
本発明の好ましい実施形態では、洗浄組成物の二次組成物は、１種類以上のｐＨ変化増進剤を含んでもよい。これらの化合物は、本洗いサイクルとすすぎサイクルとの間で通常観察される洗い液のｐＨ低下を増大し、ｐＨ感受性放出制御手段のすすぎ液への溶解に役立ち、それを加速することが意図されている。前記放出制御手段がコーティングとして塗布されるとき、これらの化合物は、コーティング細片の溶解を特に促進する。
【００７０】
好適なｐＨ変化増進剤は、有機アミノホスホン酸類及びアミノポリホスホン酸類、有機ホスホン酸類及びポリホスホン酸類、ポリカルボン酸類、ポリスルホン酸類、ホウ酸類、アルキル硫酸類、これらの酸類の無水物並びにこれらの混合物からなる群から選択されてもよい。ポリカルボン酸類（例えば、クエン酸など）は、本発明の洗浄組成物に使用するのに特に好ましい。
【００７１】
一実施形態では、本発明によるｐＨ変化増進剤は、洗浄組成物の二次組成物に組み込まれてもよく、その場合、前記放出制御手段に裂け目が形成されると直ぐ、それらはすすぎサイクル中に作用し始める。代替の実施形態では、ｐＨ変化増進剤は、本洗浄組成物の一次組成物に含まれてもよい。この後者の場合、好適な化合物は、本洗いサイクルの終了後、又は後洗いサイクル若しくはすすぎサイクルの開始時に、それらが機能を展開させるように提供されてもよい。ｐＨ変化増進剤のこのような制御された送達は、例えば、それらに緩速溶解性コーティング材料をコーティングすることによって達成されてもよい。
【００７２】
本発明の更に好ましい実施形態では、前記二次組成物は分解酵素を含んでもよい。これらの酵素は、すすぎ液に残存する可能性がある放出制御手段の一部を分解することが意図されている。しかし、この特定の実施形態は、前記放出制御手段に含まれるアミノ−アセチル化多糖類によって提供される効果を利用することが意図されていないときだけ好適である。
【００７３】
適切な分解酵素は、キトサナーゼ、キチナーゼ、パパイン、セルラーゼ、ヘミセルラーゼ、ペクチナーゼ、リパーゼ、リゾチーム（lysosyme）又は他の加水分解酵素から選択されてもよい。キトサナーゼ及びキチナーゼ、又はこれらの混合物が、特に関心が高い。
【００７４】
（洗浄組成物の代替設計）
本発明の好ましい実施によれば、二次機能部分は、一次機能部分内に封入されている。この後者の実施形態では、本洗浄組成物の特に有利な構成は、前記一次機能部分内に形成された少なくとも１つの空洞が設けられている錠剤にあり、前記空洞には、少なくとも部分的に、少なくとも１つの粒子の形態の前記二次機能部分が充填される。
好ましくは、本発明による錠剤は、六角形、正方形、長方形、円形、楕円形、円筒状及び球状からなる群から選択される、いかなる好適な形状を採用してもよい。
【００７５】
本発明の好ましい実施形態では、前記少なくとも１つの空洞は、前記錠剤の上面から下面まで完全に延びず、窪みを形成するように設計されている。前記窪みは、六角形、正方形、長方形、円形及び楕円形から選択される底面を採用することが特に好ましい。１つの好ましい実施では、粒子又は粒子類は、それらが錠剤表面上に突出しないように、好ましくは空洞又は窪みに受容される。また更なる実施形態では、粒子又は粒子類は、それらが前記空洞又は窪みの開口部を通過できないように、空洞又は窪みに緩く配置されている。
【００７６】
あるいは、錠剤内部の中心に配置される少なくとも１つの空洞が外側から見えないように、それを本発明の洗浄組成物に設けてもよい。
【００７７】
本発明の好ましい一実施形態では、洗浄組成物は、前記一次機能部分内に形成された少なくとも１つの空洞が設けられている錠剤の形態であり、前記空洞は、少なくとも１つの粒子の形態の前記二次機能部分を収容し、前記二次機能部分の外面は、前記アミノ−アセチル化多糖類を含むコーティングで完全に被覆されている。前記粒子それぞれの外面を前記コーティングで被覆することが好ましいが、前記粒子の凝集体の外面を前記コーティングで被覆することが考えられてもよい。この後者の場合、前記アミノ−アセチル化多糖類を含むコーティングも、前記粒子を一緒に凝集体の形態に結合するのに役立つ。
【００７８】
別の好ましい実施形態によれば、本発明の洗浄組成物は、前記一次機能部分内に形成された少なくとも１つの空洞が設けられている錠剤の形態であってよく、前記空洞に少なくとも１つの粒子の形態の前記二次機能部分が少なくとも部分的に充填され、前記空洞の内面は、前記アミノ−アセチル化多糖類を含むコーティングで完全に包囲されている。この実施形態によれば、前記二次機能部分は、前記コーティング内に完全に包み込まれている。
【００７９】
前記空洞又は窪みが外側から見えるように錠剤が設計されている特定の場合、前記コーティングの一部は、前記二次機能部分が本洗い液に早すぎて分散されることを防止する、一種のフタを形成する。
【００８０】
本発明の更に別の好ましい実施では、一次機能部分は、パウチ、好ましくは複数区画のパウチ、とりわけ粉末液体二区画パウチの形態であり、二次機能部分は、圧縮又は圧密化された微粒子体の形態であり、好ましくはパウチの内側、とりわけパウチの粉末区画の内側にあり、放出制御手段は、圧縮体又は圧密体の表面のコーティングの形態である。圧縮体は、圧縮体が本洗い後に洗濯機から流出しないようにするため、少なくとも１つの寸法が約１ｃｍより大きく、好ましくは約２ｃｍより大きいのが好ましい。非常に好ましい実施形態では、コーティングは、５５％〜７５％のアセチル化度、８０，０００Ｄａ〜１４０，０００Ｄａの平均重量分子量を有するアミノ−アセチル化多糖類を含み、アセトアミド基がポリマー鎖に沿ってランダムに分布する。
【００８１】
本発明の更なる好ましい実施形態によれば、二次機能部分は、効果剤を含む複数の離散粒子の形態で提供される。この構成は、剤が被洗物の周りにより均一に分布し、そのため、布地又は食器／食卓用食器具に効果をより均一に適用することを確実にするのに役立つ。
【００８２】
本発明の好ましい態様では、効果剤を含む二次機能部分の粒子は、２０℃で脱イオン水に浮遊する。理論に束縛されることを所望しないが、浮遊し得る効果剤を含む粒子を有すると、その結果、前記粒子が洗いサイクル中に自動機械の内部に残存することが考えられる。例えば、多くの効果剤は、すすぎサイクル中に添加されるとき、最もよく機能を果たす。しかし、通常の洗いサイクル中、洗い液は、本洗いサイクルの終了時に機械からポンプで排出され、浮遊しない粒子はどれも水と共に失われやすい。また、粒子が浮遊すると、これらの粒子が機械の機構、又は布地／食器内に捕捉される可能性が低減し、そのため、効果剤の早すぎる放出を引き起こし得る機械的応力が回避される。
【００８３】
あるいは、本発明の洗浄組成物は、前記一次機能部分が少なくとも１つの顆粒の形態であり、前記二次機能部分が、前記アミノ−アセチル化多糖類を含むコーティングで被覆された少なくとも１つの顆粒の形態であるように設計されてもよい。
【００８４】
（方法）
本発明の別の態様によれば、本発明の洗浄組成物を製造する方法が提供され、本方法は、ａ）二次組成物を含む二次機能部分を調製する工程、ｂ）工程（ａ）で形成された二次機能部分を、３０％〜８０％の範囲に含まれるアセチル化度を有するアミノ−アセチル化多糖類を含むフィルム又はコーティングでコーティングする工程、及びｃ）一次組成物を含む一次機能部分を調製し、工程（ｂ）で形成されたコーティング済み二次機能部分を封入する工程を含む。
【００８５】
本発明の洗浄組成物は、固体成分を一緒に混合し、例えば、製薬業界で使用されるような従来の錠剤機で混合物を圧縮することによって簡単に調製されてもよい。好ましくは、主成分は、微粒子の形態で使用される。どのような液体成分も従来のやり方で固体粒子成分に組み込むことができる。好ましくは、本発明の組成物は、１０，０００Ｎ／ｃｍ2未満、より好ましくは３，０００Ｎ／ｃｍ2以下、更により好ましくは７５０Ｎ／ｃｍ2以下の力で圧縮される。実際、本発明のより好ましい実施形態は、５００Ｎ／ｃｍ2未満の力で圧縮される。一般に、本明細書の組成物は、迅速に崩壊できるように比較的小さい力で圧縮される。
【００８６】
本発明の錠剤を製造するのに使用される微粒子物質は、どのような粒子形成又は造粒方法でも製造できる。このような方法の一例は、典型的には、６００ｇ／ｌ以下の低い嵩密度を生じる（並流又は向流噴霧乾燥塔内での）噴霧乾燥法である。嵩密度のより大きい微粒子物質は、連続造粒及び高密度化方法によって調製できる。他の好適な方法には、流動床法、圧密化法（例えば、ロール圧密）、押出し成形、並びに凝集、結晶化焼結（sentering）などのような任意の化学的方法で製造されるいかなる微粒子物質もが挙げられる。
【００８７】
従来のいかなる手段で微粒子物質の構成成分を一緒に混合してもよい。錠剤形成、ブリケット形成又は押出し成形などのいかなる圧密化法を使用して洗浄組成物を製造してもよいが、錠剤形成が好ましい。好適な装置としては、標準単一ストローク又はロータリープレス（コートイ（Courtoy）（登録商標）、コルシュ（Korsch）（登録商標）、マネスティ（Manesty）（登録商標）、又はボナルス（Bonals）（登録商標）から入手可能なものなど）が挙げられる。好ましくは、錠剤は、型を構成する錠剤を調製できる錠剤機で圧縮することにより調製される。本明細書の組成物は、２０ｍｍ〜６０ｍｍ、好ましくは少なくとも３５ｍｍで最大５５ｍｍまでの直径、及び２５ｇ〜１００ｇの重量を有するのが好ましい。本発明による好ましい実施形態では、錠剤は、少なくとも０．５ｇ／ｃｃ、より好ましくは少なくとも１．０ｇ／ｃｃ、また好ましくは２．０ｇ／ｃｃ未満、より好ましくは１．５ｇ／ｃｃ未満の密度を有する。
【００８８】
二次機能部分は、錠剤コーティングで既知のものなどの従来の手順を使用してコーティングされてもよい。本発明のアミノ−アセチル化多糖類を二次機能部分に噴霧し、溶融物を形成するか、又は溶液若しくは分散体を形成することができる。この場合、コーティングされる材料は、流動床上、又は錠剤コーティングパン内に配置される。また、コーティングされる材料は、後で噴霧により顆粒状材料を形成するように処理するため、溶融アミノ−アセチル化多糖類中に分散されてもよい。この目的では、既知の噴霧冷却法、噴霧凍結法、又は回転円板法を使用することができる。アミノ−アセチル化多糖類層を、スプレーコーティングの補助により水性溶媒又は別の溶媒から塗布することができる。コーティングされる材料は、この場合、錠剤コーティングパン内又は流動床上に収容される。アミノ−アセチル化多糖類を有する溶液中に、コーティングされる材料を分散させた後、分散体を噴霧乾燥させることも可能である。あるいは、アミノ−アセチル化多糖類をコアセルベーション法で塗布してもよい。
【００８９】
前記コーティングを行うとき、コーティングされる材料に可塑剤を組み込むことが好適な場合がある。本明細書で使用するのに好ましい可塑剤には、グリセロール、エチレングリコール、ポリエチレングリコール、プロピレングリコール、ポリプロピレングリコール、ソルビトール、クエン酸トリアルキル（クエン酸トリエチルなど）、シュウ酸ジエチル、コハク酸ジエチル、フタル酸ジアルキル、セバシン酸ジアルキル（セバシン酸ジエチルなど）、トリアセチン、リン酸トリアルキル（リン酸トリエチルなど）、水、及びこれらの混合物が挙げられる。
【００９０】
本発明の洗浄組成物を製造する方法は、典型的には、一次機能部分に構成された型の中に、コーティング済み二次機能部分を挿入する追加の工程を含み、その結果、型にコーティング済み二次機能部分を部分的に又は完全に充填してもよい。あるいは、この後者は型の中で圧縮されてもよく、又は接着剤で型に固着されてもよい。
【００９１】
本明細書で使用されるパウチは、当該技術分野で既知の方法により調製されることができる。本方法は、典型的には、本発明のアミノ−アセチル化多糖類のフィルム／シートを調製すること、適切なサイズのフィルム／シート片に切断すること、次いで、フィルム／シートを折り畳んで必要な数及びサイズの区画を形成すること、並びにヒートシール又は溶剤シールなどの任意の好適な技術を使用して縁部を封止することを含む。本発明によるパウチを製造するとき、前述されるような可塑剤を組み込むことが好適な場合がある。
【００９２】
本発明の別の態様によれば、自動洗濯機で洗濯物を洗う方法が提供され、前記方法は、洗濯機に本発明による洗浄組成物を投入し、従来の方法で洗うことを含む。本明細書の方法は、典型的には、中に有効量の本発明による洗濯機用洗剤洗浄組成物が溶解又は分散されている洗濯機内の水溶液で汚れた洗濯物を処理することを含む。
【００９３】
別の実施形態では、本発明は、自動食器洗い機で調理器具又は食卓用食器具を洗う方法を提供し、前記方法は、本発明による洗浄組成物を食器洗い機に投入し、従来の方法で洗うことを含む。本明細書の方法は、典型的には、中に有効量の本発明による食器洗い機用洗剤洗浄組成物が溶解又は分散されている食器洗い機内の水溶液で汚れた調理器具／食卓用食器具を処理することを含む。
【００９４】
好ましくは、洗浄組成物は、機械の分配トレーを介して計量分配されるが、洗濯物にそれらを直接添加することができる。洗濯物に直接添加する場合、洗浄組成物は、そのまま、又はＥＰ−Ａ−０１１８６７８に記載されるものなどの網状バッグ若しくはパウチなどの分配デバイスと組み合わせて添加することができる。
【００９５】
本発明の特定の実施形態を例示し記載したが、本発明の精神及び範囲から逸脱することなく、他の様々な変更及び修正を実施できることが、当業者には明白であろう。したがって、添付の請求項は、本発明の範囲内にある全てのそのような変更及び修正に及ぶことを意図するものである。
【００９６】
（試験方法）
１．アセチル化度
Ｙ．イノウエ（Y.Inoue）、キチン便覧（Chitin Handbook）、Ｒ．Ａ．Ａ．ムッツァレッリ及びＭ．Ｇ．ピーター編（R.A.A.Muzzarelli and M.G.Peter,eds）、欧州キチン協会（European Chitin Society）、１９９７年、１３３〜１３６頁により記載される方法で、アセチル化度を測定した。
【００９７】
２．分子量
Ｍ．テルボジェビッチ及びＡ．コサニ（Terbojevich and A.Cosani）、キチン便覧（Chitin Handbook）、Ｒ．Ａ．Ａ．ムッツァレッリ及びＭ．Ｇ．ピーター編（R.A.A.Muzzarelli and M.G.Peter,eds）、欧州キチン協会（European Chitin Society）、１９９７年、９７〜１０１頁の記載に従って、分子量（平均重量分子量Ｍw）が測定された。
【実施例】
【００９８】
（実施例１）：半Ｎ−アセチル化キトサンの一般的調製
脱アセチル化されたキトサン（０．６ｇ）を１０％酢酸水溶液（１００ｍＬ）中に溶解させ、無水酢酸を過剰量添加した。周囲温度で５時間攪拌した後、反応を停止させるため、ｐＨが８〜９に到達するまでＮａＯＨ水溶液を添加した。反応混合物を脱イオン水に対して２日間透析し、凍結乾燥した。次いで、アセチル化キトサンを室温で５〜１０分間、メタノールＫＯＨで処理し、遠心分離器を使用してメタノールで繰り返し洗浄した。最後に、それを脱イオン水に溶解させ、凍結乾燥した。
【００９９】
試験方法に記載のようにアセチル化度及び分子量を測定し、その結果を下記の表に記載した。あるいは、クリタＫ．（Kurita K.）らの報告（ケミストリー・レターズ（Chemistry Letters）、１５９７〜１５９８頁、１９８９年）に従って、半Ｎ−アセチル化キトサンを得ることができた。
【０１００】
【表１】
2007525553.tif 000002
【０１０１】
（実施例２）：キトサン及びキトサン誘導体のフィルムの一般的調製
実施例１に従って調製したキトサンサンプル５．０ｇを１％酢酸１００ｍＬに溶解させた溶液を蒸発させることによりキトサンフィルムが得られた。したがって、溶液を０．４５マイクロメートルのミリポア（Millipore）膜に通してろ過し、直径５ｃｍのペトリ皿に入れ、室温で２４時間、空気乾燥させた。完全に乾燥させた後、フィルムは容易に回収された。次いで、それらをメタノール中の希釈アンモニア溶液（３３％ＮＨ4ＯＨ、１５ｍＬ／蒸留水３５ｍＬ／メタノール５００ｍＬ）中に浸漬し、遊離アミノ型のキトサンを再生させた。
【０１０２】
（実施例３）：キトサン／ＰＶＡフィルムの一般的調製
ＰＶＡ（２０ｇ、アルドリッチ（Aldrich））を低温の脱イオン水（１００ｇ）中に溶解させた後、グリセロール（７ｇ、アルドリッチ）を添加した。実施例１に従って調製したキトサンサンプル（２ｇ）を１％酢酸（１００ｇ）に溶解させた。次いで、キトサン及びＰＶＡ溶液を一緒に混合してＡ４サイズのプラスチックシート上に流し込み、厚さ０．０８ｃｍ（０．０３インチ）にした。溶液層を２時間４０℃で乾燥させた後、シートから取り外した。遊離アミノ型のキトサンを再生するため、フィルムをメタノール中の希釈アンモニア溶液（３０％ＮＨ4ＯＨ、１５ｍＬ／脱イオン水３５ｍＬ／メタノール５００ｍＬ）中に５分間浸漬した。
【０１０３】
（実施例４）：洗剤洗浄組成物
【０１０４】
【表２】
2007525553.tif 000003
陰イオン性粒塊１は、陰イオン性界面活性剤４０％、ゼオライト（Zeolite）Ａ２７％及び炭酸ナトリウム３３％を含む。
陰イオン性粒塊２は、陰イオン性界面活性剤３５％、ゼオライト（Zeolite）Ａ２６％、炭酸ナトリウム２８％及び無水酢酸ナトリウム１１％を含む。
非イオン性粒塊は、非イオン性界面活性剤２６％、ルテンジット（Lutensit）Ｋ−ＨＤ９６（ＢＡＳＦ製）を６％、無水酢酸ナトリウム４０％、炭酸ナトリウム２０％及びゼオライト８％を含む。
陽イオン性粒塊は、陽イオン性界面活性剤２０％、ゼオライト５６％及びサルフェート２４％を含む。
層状ケイ酸塩は、ＳＫＳ−６を９５％及びケイ酸塩５％を含む。
漂白活性化剤粒塊は、テトラアセチルエチレンジアミン（ＴＡＥＤ）８１％、アクリル／マレインコポリマー（酸の形態）１７％及び水２％を含む。
ＥＤＤＳ／サルフェート粒子は、エチレンジアミンＮ，Ｎ−二コハク酸ナトリウム塩５８％、サルフェート２３％及び水１９％を含む。
亜鉛フタロシアニンスルホン酸カプセル化物は１０％活性である。
泡抑制剤は、シリコーンオイル（ダウ・コーニング製）１１．５％、ゼオライト５９％及びＨ2Ｏを２９．５％含む。
結合剤吹付け系は、ルテンジット（Lutensit）Ｋ−ＨＤ９６を０．５部及びポリエチレングリコール（ＰＥＧ）を２．５部含む。
キトサナーゼは、シグマ・ベルギー（Sigma Belgium）から購入した（Ｃ０７９４）。
キトサン：アセチル化度４６．９％、平均重量分子量２３２ｋＤａ、光陽化学（Koyo Chemicals）から入手。
プロライト（Purolite）（商標）：英国、ロンザ・サイノン−タフ（Rhonda Cynon-Taff）、プロライト・インターナショナル社（Purolite International Ltd）から入手可能。
１単位：１単位は、３７℃、ｐＨ５．５で毎分１マイクロモルの還元糖を遊離する。
【０１０５】
５分間混合ドラム内で顆粒構成成分を混和して均質な粒子混合物を作り出すことにより、洗剤活性一次組成物を調製した。この混合中、ノズル及び熱風を用い、前述の結合剤組成物を使用して吹付けを実施した。
【０１０６】
前述の乾燥混合物が添加される、標準的な攪拌機を有するブラウン（Braun）フードプロセッサーを使用して、二次機能部分を形成する粒子を製造した。混合機を１分間、高速で運転し、押出成形機先端プレートに直径３ｍｍの穴がある不二パウダル・ドームグラン（Fuji Paudal Dome Gran）ＤＧＬ１（日本）押出成形機に混合物を注ぎ、毎分７０回転で運転した。得られる生成物を不二パウダル・マルメライザー（Fuji Paudal Marumerizer）ＱＪ−２３０に添加し、それを毎分１０００回転で５分間運転し、良好な球状化が達成された。
【０１０７】
更なる工程では、粒子をＮ−アセチル化キトサンでコーティングした。これは、噴霧ノズル及び熱風を使用して８０℃で４％のＮ−半アセチル化キトサンと水との混合物（ビーズ重量基準）を従来の混合ドラム内でビーズに噴霧することによって達成された。二次組成物は、酵素プリルキトサナーゼ（ノボ（Novo）製）も含有し得た。
得られる粒子の密度は、７００ｋｇ／ｍ3であった。ＡＳＴＭ  Ｄ５０２−８９の方法を使用して粒度を測定し、計算した平均粒度は２．６ｍｍであった。
【０１０８】
インストロン４４００試験機及び手動錠剤製造用の標準ダイを使用して、多相錠剤組成物を調製した。２．５ｍｍの比を有する縁部の丸い４１×４１ｍｍのダイ（dye）に洗剤活性一次組成物３５ｇを供給した。錠剤に直径２５ｍｍ、深さ１０ｍｍの凹状の型を形成するのに好適な形状を有するパンチを用いて、１５００Ｎの力で混合物を圧縮した。そのような形状のパンチを慎重に取り外し、錠剤をダイ（dye）の中に残した。一次組成物中に残る型の中に粒子４ｇを導入し、平坦な通常のパンチを使用して１７００Ｎの最終的な圧縮を加え、多相錠剤を製造した。次いで、錠剤を手でダイ（dye）から取り出す。
【０１０９】
次の工程では、前述の方法で製造した錠剤を１７０℃のコーティングの溶融混合物にそれらを手動で浸漬することによりコーティングし、室温まで冷却して戻し、コーティングを硬化させた。コーティングの組成及びパーセンテージは前述の錠剤組成物に記載されている。
【０１１０】
（実施例５）：洗剤洗浄組成物
【０１１１】
【表３】
2007525553.tif 000004
ＰＣＡ／ＰＥＧコフレーク：ペンタアミンコバルト（ＩＩＩ）アセテートジクロライド／ポリエチレングリコールコフレーク（co-flake）。
ＰＶＡ：ポリビニルアルコール、平均重量分子量３６ｋＤａ、シグマ−アルドリッチ（Sigma-Aldrich）から購入。
キトサン：アセチル化度６０％、平均重量分子量１２０ｋＤａ。
【０１１２】
錠剤は、二次組成物の構成成分を混和することによって調製され、次いで、混合物は従来のロータリープレスのダイに運ばれる。ダイは、直径１．５ｃｍの円形の断面を有する。次に組成物に９４０ｋｇ／ｃｍ2の圧縮力がかかり、パンチが上昇し、錠剤が錠剤機から出される。前記の表に明記されている組成物を有する溶液を吹付けることによって錠剤をコーティングした後、放置して乾燥させる。
【０１１３】
別に、二区画のＰＶＡパウチ（クリス−クラフト・インダストリアル・プロダクツ（Chris-Craft Industrial Products）により供給されるモノソル（Monosol）Ｍ８６３０フィルム）を形成し、一次組成物を充填する。第１の区画に粉末組成物及びコーティング済み錠剤を充填し、第二の区画に液体組成物を充填する。
【０１１４】
ボッシュ・シーメンス（Bosch Siemens）６０３２食器洗い機の２５ｍｌディスペンサー区画にパウチを導入し、ディスペンサーを閉じ、食器洗い機を通常の５５℃のプログラムで運転する。本洗いの後、錠剤はまだ溶解しておらず、すすぎ後に完全に溶解する。
【国際調査報告】
2007525553.tif 000005
2007525553.tif 000006
2007525553.tif 000007